(57)【要約】【課題】組付作業性や分解作業性を向上し、手入れが簡単なジューサーを提供する。【解決手段】駆動手段（モータ１１）を備えた本体１０と、本体１０に着脱可能に装着される区画容器２４と、区画容器２４の仕切壁３５内に配置されるとともに、駆動手段の出力軸１１ａに着脱可能に装着される調製部材４２と、区画容器２４の上端開口を閉塞する内蓋４８、および、該内蓋４８と区画容器２４とを覆い本体１０に着脱可能に係止するカバー５２とからなる蓋体４７と、注出されるジュースを受けるジュース容器５９とを備え、本体１０とカバー５２との係止機構は、本体１０に設けられた２以上の係止部１６、および、カバー５２に設けられ係止部１６が係止する受部５３と、本体１０に設けられ、係止部１６と受部５３との係止が解除されるとカバー５２を持ち上げるスライダ１９とからなる構成とする。【選択図】  図１
2004337514.tif 000002
【特許請求の範囲】
【請求項１】
駆動手段を備えた本体と、
前記本体に着脱可能に装着され、その内部を筒状の仕切壁によって内側のジュース案内部と外側のカス受部とに区画した区画容器と、
前記区画容器の仕切壁内に配置されるとともに、前記駆動手段の出力軸に着脱可能に装着され、該駆動手段の動作により回転して投入された食材をジュースとカスとに分離する調製部材と、
前記区画容器の上端開口を閉塞する内蓋、および、該内蓋と前記区画容器とを覆い前記本体に着脱可能に係止するカバーとからなる蓋体と、
前記区画容器のジュース案内部から注出されるジュースを受けるジュース容器とを備え、
前記本体と蓋体のカバーとの係止機構は、
前記本体に設けられた２以上の係止部、および、カバーに設けられ前記係止部が係止する受部と、
前記本体に設けられ、前記係止部と受部との係止が解除されると前記カバーを持ち上げるスライダとからなり、
前記係止部は、少なくとも一方が略水平方向に移動されることにより前記受部と着脱可能に係止するものであることを特徴とするジューサー。
【請求項２】
前記スライダは、前記係止部の三方を囲繞する略コ字形状をなすことを特徴とする請求項１に記載のジューサー。
【請求項３】
前記本体に、前記区画容器を持ち上げる持上手段を設けたことを特徴とする請求項１または請求項２に記載のジューサー。
【請求項４】
前記持上手段の近傍に、スプリングによって上向きに付勢された動作部を有し、該動作部が下降することにより前記区画容器の装着状態を検出できる検出手段を設け、該検出手段は前記区画容器が未装着状態である場合には前記駆動手段を動作できないようにすることを特徴とする請求項３に記載のジューサー。
【発明の詳細な説明】
【０００１】
【発明の属する技術分野】
本発明は、果物や野菜などの食材をジュースとカスとに分離するジューサーに関するものである。
【０００２】
【従来の技術】
従来のジューサーは、駆動手段を備えた本体と、該本体に着脱可能に装着される区画容器と、該区画容器内に配置される調製部材と、前記区画容器を閉塞する蓋体と、前記区画容器から注出されるジュースを受けるジュース容器とを備えている。
【０００３】
前記区画容器は、その内部に環状の仕切壁が設けられ、仕切壁内のジュース案内部と仕切壁外のカス受部とに区画されている。また、前記調製部材は、前記区画容器における仕切壁の内部に配設されるもので、その底面に果物や野菜などの食材を摺り下ろすカッターが設けられるとともに、該カッターの周囲から上向きに広がるように逆円錐台形筒状に突出するフィルターが設けられている。
【０００４】
このように構成されたジューサーは、区画容器における上部の食材投入通路から前記調製部材内に食材が押し込まれると、まず、駆動手段による回転で食材をカッターで摺り下ろす。これにより、この摺り下ろされた食材は、フィルターにおいて、ジュースとカスとに分離され、ジュースはフィルターに設けた多数の孔を通ってジュース案内部に流入し、カスはフィルターの上端からカス受部に飛散される。また、前記ジュース案内部に流入したジュースは、ジュース容器へと案内される。
【０００５】
なお、本発明のジューサーに関連する食材調製器の先行技術文献情報としては次のものがある。
【０００６】
【特許文献１】
特開平７−５９６７１号公報
【特許文献２】
特開平９−２３４６９３号公報
【０００７】
この特許文献１では、容器を本体の取付位置にバイオネット構造により着脱可能に取り付けるようにしている。また、特許文献２では、容器に水平方向に突出する突片を設けるとともに、該突片に非平行長穴を設け、該非平行長穴にボルトを通して締め付けることにより、容器を本体に着脱可能に固定するようにしている。
【０００８】
【発明が解決しようとする課題】
しかしながら、特許文献１の取付構造では、着脱作業を行う際の回転方向を判断し難いため、作業性が悪いという問題がある。また、特許文献２の取付構造では、ボルトの着脱作業が非常に煩わしいため、やはり作業性が悪いという問題がある。
【０００９】
そこで、本発明では、組付作業性や分解作業性を向上し、手入れが簡単なジューサーを提供することを課題とするものである。
【００１０】
【課題を解決するための手段】
前記課題を解決するため、本発明のジューサーは、駆動手段を備えた本体と、前記本体に着脱可能に装着され、その内部を筒状の仕切壁によって内側のジュース案内部と外側のカス受部とに区画した区画容器と、前記区画容器の仕切壁内に配置されるとともに、前記駆動手段の出力軸に着脱可能に装着され、該駆動手段の動作により回転して投入された食材をジュースとカスとに分離する調製部材と、前記区画容器の上端開口を閉塞する内蓋、および、該内蓋と前記区画容器とを覆い前記本体に着脱可能に係止するカバーとからなる蓋体と、前記区画容器のジュース案内部から注出されるジュースを受けるジュース容器とを備え、前記本体と蓋体のカバーとの係止機構は、前記本体に設けられた２以上の係止部、および、カバーに設けられ前記係止部が係止する受部と、前記本体に設けられ、前記係止部と受部との係止が解除されると前記カバーを持ち上げるスライダとからなり、前記係止部は、少なくとも一方が略水平方向に移動されることにより前記受部と着脱可能に係止する構成としている。
【００１１】
このジューサーによれば、カバーを上方から垂直に被せ、下向きに押圧するだけで簡単に装着することができる。また、分解する際には、前記係止部を移動させるだけで簡単に係止部と受部との係止を解除でき、これによりスライダによってカバーを持ち上げて再び係止部が受部に係止することを防止できる。そのため、組付作業性や分解作業性を大幅に向上することができる。
【００１２】
このジューサーでは、前記スライダは、前記係止部の三方を囲繞する略コ字形状をなすことが好ましい。このようにすれば、係止部と受部との再係止を確実に防止することができる。
【００１３】
また、前記本体に、前記区画容器を持ち上げる持上手段を設けることが好ましい。このようにすれば、係止部と受部との再係止を更に確実に防止でき、分解作業性を大幅に向上することができる。
【００１４】
この場合、前記持上手段の近傍に、スプリングによって上向きに付勢された動作部を有し、該動作部が下降することにより前記区画容器の装着状態を検出できる検出手段を設け、該検出手段は前記区画容器が未装着状態である場合には前記駆動手段を動作できないようにすることが好ましい。このようにすれば、カバーの装着状態では該カバーの押圧により区画容器を下降させ、前記持上動作部および検出手段の動作部を下降させる。そのため、検出手段は、区画容器の装着状態を検出でき、駆動手段を動作可能な状態とする。一方、カバーの未装着状態では持上動作部により区画容器が持ち上げられるため、検出手段の動作部が上昇位置となる。そのため、ユーザーの誤使用により動作中にカバーを取り外した場合、検出手段が未装着状態を検出するため、駆動手段を停止させることができる。
【００１５】
【発明の実施の形態】
以下、本発明の実施の形態を図面に従って説明する。
図１から図９は、本発明の実施形態に係るジューサーを示す。図１および図２に示すように、このジューサーは、大略、本体１０と、区画容器２４と、調製部材４２と、蓋体４７と、ジュース容器５９と、食材押込部材６２とからなる。
【００１６】
前記本体１０は、図１から図３（Ａ），（Ｂ）に示すように、その外装体の内部に駆動手段としてモータ１１を配設したものである。このモータ１１は、その出力軸１１ａが本体１０の上端から突出され、その突出部に後述する調製部材４２を着脱可能に装着するための装着部材１２が取り付けられている。また、本体１０の正面下部には、ジュース容器５９の受台部１３が設けられている。
【００１７】
前記本体１０の上部には、その外周部の対向位置に後述するカバー５２の係止機構を構成する一対のフック部材１４が設けられている。これらフック部材１４は、図４（Ａ），（Ｂ）に示すように、本体１０に設けた凹部１５において、水平方向である本体１０の軸心に向けて移動可能に配設されている。このフック部材１４の上端には、カバー５２の受部５３に係止する係止部１６が設けられている。なお、このフック部材１４は、スプリング１７によって常に外向きに付勢されている。また、フック部材１４において、本体１０から外方に突出した部分は操作部１４ａを構成する。
【００１８】
また、本体１０の上部には、前記フック部材１４の係止部１６の周囲を覆う収容部１８が設けられている。この収容部１８には、前記係止部１６の両側および移動方向側（軸心の方向）の三方を囲繞する略コ字形状のスライダ１９が水平方向である本体１０の軸心に向けて移動可能に配設されている。このスライダ１９は、図５（Ａ），（Ｂ）に示すように、スプリング２０によって常に外向きに付勢されている。このスライダ１９は、前記係止部１６と受部５３との係止が解除されると、前記スプリング２０の付勢力により外向きに移動し、カバー５２を持ち上げることにより、フック部材１４がスプリング１７の付勢力によって原状に戻っても、再び係止部１６と受部５３とが係止しないようにするもので、本実施形態では、一対に突出する両側部先端に傾斜面１９ａが設けられている。
【００１９】
本実施形態の本体１０には、機械式の検出手段を介して区画容器２４の装着状態を検出しないと操作スイッチ２２Ａ，２２Ｂ，２２Ｃを操作できないようにする機械式の安全スイッチ機構が設けられている。また、区画容器２４を持ち上げるための持上手段が設けられている。
【００２０】
具体的には、図３および図１０に示すように、前記検出手段としては、前記本体１０の上面に略円筒状をなし区画容器２４の下端縁と対応する溝を備えたガイド凸部が設けられ、このガイド凸部内に突出するように、区画容器２４の装着状態を検出するための動作部２１が設けられている。この動作部２１の下端には、回動可能に軸着したレバー７０が接続され、このレバー７０を介して動作部２１がスプリング７１によって上昇位置を維持するように上向きに付勢されている。
【００２１】
前記安全スイッチ機構は、図１１（Ａ），（Ｂ）に示すように、矩形状の基枠７２に対して、長手方向に所定間隔をもって操作スイッチ２２Ａ，２２Ｂ，２２Ｃのアーム７３を移動可能に配設するとともに、規制板７４を長手方向に延びるように移動可能に配設したものである。前記アーム７３は、略中央に幅方向に延びる干渉部７３ａを突設した略十字形状のものである。前記規制板７４は、スプリング７５によって上向きに付勢され、その上端部７４ａが前記基枠７２を貫通して前記レバー７０の先端下部に位置されるものである。この規制板７４には、前記アーム７３と対応する位置に２つの段部からなる規制溝７４ｂが設けられている。なお、操作スイッチ２２Ａは区画容器２４を洗浄するためのクリーニングスイッチであり、操作スイッチ２２Ｂは調製動作を実行するための「入」スイッチであり、操作スイッチ２２Ｃは動作を停止するための「切」スイッチである。
【００２２】
前記持上手段は、本体１０の上部において、前記検出手段の動作部２１の近傍である前記モータ１１の出力軸１１ａ（装着部材１２）と前記検出手段の動作部２１とを結ぶ直線の延長線上に位置する外側に配設した持上動作部２３と、該持上動作部２３を上向きに付勢するスプリング７６とからなる。この持上手段は、前記持上動作部２３の上端部が区画容器２４の底面に当接し、該区画容器２４を持ち上げることにより、前記検出手段の動作部２１を上昇位置として実質的に未装着状態となるようにするものである。
【００２３】
このように構成した機械式の検出手段および安全スイッチ機構は、図１０中、一点鎖線で示すように、検出手段の動作部２１がスプリング７１によって付勢されて上昇位置に位置する場合には、レバー７０の先端は下降した状態をなす。これにより、前記安全スイッチ機構における規制板７４の上端部７４ａは下向きに押圧され、該規制板７４を下向きに移動させる。その結果、図１１（Ｃ）に示すように、規制溝７４ｂの深さが浅い上段部がアーム７３の干渉部７３ａにおける移動方向先端に位置する。そのため、操作スイッチ２２Ａ〜２２Ｃを操作してもアーム７３が移動することができず、調製動作を実行できない状態に維持することができる。
【００２４】
一方、図１０中、実線で示すように、検出手段の動作部２１がスプリング７１の付勢力に抗して下降位置に位置する場合には、レバー７０の先端は上昇した状態をなす。これにより、安全スイッチ機構における規制板７４は、スプリング７５の付勢力によって上向きに移動する。その結果、図１１（Ｂ）に示すように、規制溝７４ｂの深さが深い下段部がアーム７３の干渉部７３ａにおける移動方向先端に位置する。そのため、操作スイッチ２２Ａ〜２２Ｃを操作するとアーム７３が移動することができ、調製動作を実行可能な状態に維持することができる。
【００２５】
前記区画容器２４は、前記本体１０に着脱可能に装着され、その内部を仕切壁３５によって内側のジュース案内部２５と外側のカス受部２６とに区画したものである。具体的には、図６および図７に示すように、本実施形態の区画容器２４は、断面略Ｊ字形状の筒状部材からなる区画容器本体２７と、該区画容器本体２７の内部に着脱可能に装着される断面略Ｌ字形状の筒状部材からなる別体の仕切壁３５とからなる。
【００２６】
前記区画容器本体２７は、円筒状をなす外壁２８の下端に、下向きに傾斜する底壁２９を一体に設けたものである。前記外壁２８の下部には、内向きに突出し、その上面が水平面を構成する段部３０が設けられている。また、外壁２８には、仕切壁３５を装着する際に定位置にガイドするとともにロックするロック部３１Ａ，３１Ｂ，３１Ｃが１２０度間隔で内向きに突設されている。そのうち、背面側に位置するロック部３１Ｂは、後述する蓋体４７を構成する内蓋４８を位置決めする機能を兼用するもので、前記段部３０から所定間隔をもった上部から側壁の上端まで延びるように矩形状に設けられている。前記底壁２９は、その中央に本体１０から突出したモータ１１の装着部材１２を挿通する断面凸形状の筒部３２を設けたものである。この筒部３２の下端縁は、動作部を押圧する押圧部を構成する。また、この筒部３２の外側に位置する底壁２９が持上動作部２３を押圧する押圧部を構成する。前記底壁２９において、最下端に位置する正面側端部には、注出孔３３が設けられるとともに、その周囲から下向きに突出する注出ノズル部３４が設けられている。
【００２７】
前記仕切壁３５は、区画容器２４の内壁を構成する円筒部３６の下端に、外向きに突出するフランジ部３８を一体に設けた断面Ｌ字形状のものである。前記円筒部３６の上端には、内向きに突出する環状リブ３７が設けられている。前記フランジ部３８の外周縁には、前記ロック部３１Ａ〜３１Ｃに外嵌してガイドされるとともに、相対的に回転させることにより係合するロック凹部３９が設けられている。このロック凹部３９において、時計周りの方向の縁には、上向きに傾斜する斜面を備えた係止段部４０が設けられるとともに、反時計回りの方向の縁には、上向きに突出するストッパ４１が設けられている。
【００２８】
前記構成の区画容器２４は、区画容器本体２７内に仕切壁３５を装着することにより、仕切壁３５の円筒部３６の内側と区画容器本体２７における段部３０の下側の領域からなる前記ジュース案内部２５と、仕切壁３５の円筒部３６およびフランジ部３８の外側と区画容器本体２７の外壁２８で囲まれた領域からなる前記カス受部２６が形成される。
【００２９】
前記調製部材４２は、前記区画容器２４における仕切壁３５内に配置し、前記モータ１１の出力軸１１ａに装着部材１２を介して着脱可能に装着されるものである。この調製部材４２は、図２および図６に示すように、装着部材１２に装着するための装着用台座部４３と、該装着用台座部４３の上面に配設したカッター４４と、前記装着用台座部４３の周囲から逆円錐台形筒状に突出するフィルター４５と、該フィルター４５の上端縁に装着した安全カバー４６とからなる。前記カッター４４は金属製であり、所定間隔をもって放射状に突出する刃部４４ａを備えている。前記フィルター４５は金属製であり、所定間隔をもって穿設した多数の通孔４５ａを備えている。
【００３０】
前記蓋体４７は、図６、図８および図９に示すように、透明なＡＳ樹脂からなる内蓋４８と、不透明なＡＢＳ樹脂からなるカバー５２とからなる。
【００３１】
前記内蓋４８は、前記区画容器２４の上端開口を閉塞する上向きに膨出した皿形状のもので、背部には前記ロック部３１Ｂに嵌合する凹部４８ａを備えている。この内蓋４８の正面側には、上向きに突出する平面視円弧状の窓部４９が形成されている。また、この内蓋４８には、その略中央に前記調製部材４２の内部から外部にかけて延びる筒状の食材投入通路５０が形成されている。この食材投入通路５０は、上方に突出する部分５０ａが平面視円形状をなし、下方に突出する部分５０ｂが円の一部（背部）を内向きに円弧状に窪ませた形状をなしている。
また、この食材投入通路５０の背面側上端には、内向きに窪む位置決め凹部５１が設けられている。この位置決め凹部５１は、背面視で略逆三角形状をなす。
【００３２】
前記カバー５２は、内蓋４８と区画容器２４とを全周囲にかけて覆う略凸形状をなす筒状のもので、その前後方向の中央には両側外向きに突出して前記本体１０の係止部１６が係止するための受部５３が設けられている。この受部５３は、外向きに膨出させた内部に係止用の平板部を設けたものである。また、カバー５２の内周部には、受部５３の両側に位置するように、前記スライダ１９に当接するリブ５４が設けられている。このカバー５２には、前記内蓋４８の窓部４９に対応する開口部５５が設けられ、この開口部５５から前記窓部４９を介して内部を透視できるように構成されている。また、カバー５２には、前記食材投入通路５０における外部に露出した上側部分５０ａを覆う円筒形状の被覆部５６が設けられている。この被覆部５６は、その上端が前記食材投入通路５０の上側部分５０ａの上端より同一高さ以下に位置するように形成されている。言い換えれば、前記食材投入通路５０の上側部分５０ａの上端は、被覆部５６の上端と同一高さ以上に位置するように形成されている。また、前記被覆部５６には、前記位置決め凹部５１に嵌る背面視で逆三角形状の位置決め凸部５７が設けられている。
【００３３】
本実施形態では、この蓋体４７において、前記内蓋４８とカバー５２との間には、ゴム製の緩衝部材５８を配設し、調製動作の実行中の振動により前記内蓋４８とカバー５２とが干渉して異音が発生することを防止している。また、前記カバー５２は、前記本体１０への装着状態で、前記緩衝部材５８を介して内蓋４８を区画容器２４へ押圧する寸法に設定されている。
【００３４】
前記ジュース容器５９は、図２に示すように、上端開口を閉塞する蓋６０を備え、前記本体１０の受台部１３に着脱可能に装着するものである。前記蓋６０には、本体１０に装着した区画容器２４における注出ノズル部３４に対応する流入口６１が設けられている。
【００３５】
前記食材押込部材６２は、前記食材投入通路５０における下側部分５０ｂと同一形状をなし、その上部に前記被覆部５６を覆う大きさの操作部６３を設けたものである。
【００３６】
前記構成のジューサーを使用する場合には、まず、本体１０に対して区画容器本体２７を装着し、その区画容器本体２７に対して仕切壁３５を装着した後、仕切壁３５内に調製部材４２を配置する。ついで、区画容器本体２７に対して内蓋４８を装着する。この際には、区画容器本体２７に形成したロック部３１Ｂに対して内蓋４８の凹部４８ａを位置決めすることにより、簡単かつ確実に正規の装着位置に内蓋４８を装着することができる。
【００３７】
この図１に示す状態では、前記区画容器２４が持上動作部２３の押圧力により持ち上げられ、区画容器本体２７における筒部３２の下端縁が動作部２１の上部に載った状態であるが、自重で押圧することにより下降位置とはしていない。そのため、安全スイッチ機構の各操作スイッチ２２Ａ〜２２Ｃは操作できず、モータ１１を動作できない状態を維持している。
【００３８】
その後、内蓋４８の上方から垂直に覆い被せるようにしてカバー５２を装着し、その受部５３を本体１０の係止部１６に係止する。この際には、内蓋４８に形成した位置決め凹部５１に対してカバー５２の位置決め凸部５７を位置決めすることにより、カバー５２の方向性を正規の装着方向にガイドしながら簡単かつ確実に装着することができる。また、カバー５２は、図４（Ａ），（Ｂ）および図５（Ａ），（Ｂ）に示すように、受部５３の縁およびリブ５４が、フック部材１４の係止部１６およびスライダ１９に当接した状態で、下向きに押圧することにより前記係止部１６およびスライダ１９を内向きに後退させ、係止部１６を受部５３に係止することができる。
【００３９】
この組立状態は、前記係止部１６と受部５３との係止により確実に維持される。また、スライダ１９は、カバー５２のリブ５４に当接することにより、スプリング２０の付勢力に抗して内向きに後退した状態を維持する。さらに、内蓋４８は、カバーの装着により緩衝部材５８を介して区画容器本体２７とともに本体１０に向けて押圧されている。そのため、持上動作部２３および動作部２１は、図１０中、実線で示す下降状態になる。この検出手段の動作部２１の下降により、操作スイッチ２２Ａ，２２Ｂ，２２Ｃを操作可能な状態とすることができる。また、持上動作部２３は、係止部１６と受部５３との係止が解除されると、区画容器２４を迅速に持ち上げることができるように作用する。しかも、前記カバー５２による押圧により区画容器２４内の気密性を確実に確保することができる。また、不透明なカバー５２の開口部５５には、内蓋４８の窓部４９が嵌り込んでおり、この透明な窓部４９を介して内部を透視できる。
【００４０】
前記ジューサーは、電源コードを商用電源に接続し、本体１０の操作スイッチ２２Ａ，２２Ｂ，２２Ｃを操作することにより、前記調製部材４２を区画容器２４の内部で回転させるとともに、停止することができる。
【００４１】
そして、ユーザは、調製部材４２を回転させた状態で、食材投入通路５０の入口から材料を投入し、食材押込部材６２により下向きに押し込むことにより、その食材を調製部材４２によってジュースとカスとに分離する。具体的には、材料は、まず、調製部材４２のカッター４４により摺り下ろされる。その後、カッター４４と食材投入通路５０の下端との隙間から遠心力によって外側に飛散され、フィルター４５に衝突する。これにより、摺り下ろされた実は、含んだジュースが通孔４５ａを通してジュース案内部２５に飛散し、ジュースが飛ばされたカスがフィルター４５の傾斜に沿って上昇してカス受部２６に飛散される。
【００４２】
前述の食材投入通路５０に食材を投入する際には、その食材投入通路５０の上端を、カバー５２の被覆部５６の上端と同一高さ以上に位置するように構成しているため、内蓋４８とカバー５２との間に食材の破片やジュースなどが進入することを抑制できる。また、調製動作の実行中には、内蓋４８とカバー５２との間に緩衝部材５８を配設しているため、その動作中の振動により内蓋４８とカバー５２とが干渉して異音が発生することを防止できる。
【００４３】
一方、使用後に区画容器２４や内蓋４８を洗浄する場合には、一対のフック部材１４の操作部１４ａを両側から内向きに挟むようにして押圧する。そうすると、図４（Ｂ）に示すように、フック部材１４がスプリング１７の付勢力に抗して水平方向にスライドし、係止部１６と受部５３との係止が解除される。
【００４４】
そうすると、スプリング２０の付勢力に抗して後退していたスライダ１９が外向きに移動し、傾斜面１９ａによってカバー５２のリブ５４を上向きに押し上げる。また、持上動作部２３が区画容器２４の底を上向きに持ち上げ、区画容器２４による動作部２１の押圧が解除される。
【００４５】
これにより、ユーザがフック部材１４の押圧操作を止めても係止部１６が受部５３に再び係止することはない。そして、この状態で、カバー５２を把持して持ち上げることにより、簡単にカバー５２を取り外すことができる。また、区画容器２４による検出手段の動作部２１の押圧が解除され、スプリング７１の付勢力によって動作部２１が上昇するため、安全スイッチ機構の各操作スイッチ２２Ａ〜２２Ｃは再び操作できない状態となる。
【００４６】
その後は、組み付け時とは逆の手順で、内蓋４８、調製部材４２を取り外した後、区画容器２４を取り外して分解する。
【００４７】
このように、本実施形態のジューサーでは、組付作業時にはカバー５２を上方から垂直に被せ、下向きに押圧するだけで簡単に装着することができる。また、分解作業時には、前記係止部１６を設けたフック部材１４を操作するだけで簡単に係止部１６と受部５３との係止を解除でき、これによりスライダ１９によってカバー５２を持ち上げて再び係止部１６が受部５３に係止することを防止できる。そのため、組付作業性や分解作業性を大幅に向上することができる。また、前記スライダ１９は、前記係止部１６の三方を囲繞する略コ字形状をなすように構成しているため、分解作業時に係止部１６と受部５３との再係止を確実に防止することができる。
【００４８】
また、調製動作を実行している最中に、ユーザーが誤使用によりフック部材１４を操作してカバー５２を取り外した場合には、分解時と同様に係止部１６と受部５３との係止が解除され、カバー５２および区画容器２４が持ち上げられる。その結果、検出手段の動作部２１が上昇するため、安全スイッチ機構のスイッチ２２Ｂは、スプリング７５の付勢力によって操作状態が解除され、モータ１１を停止させる。そのため、安全性を確保することができる。
【００４９】
なお、本発明のジューサーは、前記実施形態の構成に限定されるものではなく、種々の変更が可能である。
【００５０】
例えば、前記実施形態では、一対の係止部１６をそれぞれ移動可能に配設したフック部材１４に設けたが、一方の係止部１６は本体１０に一体に設け、１つの係止部１６のみフック部材１４に形成してもよい。
【００５１】
また、スライダ１９は、係止部１６の三方を囲繞するようにコ字形状に設けたが、一文字のスライダ１９としてもよいうえ、係止部１６から離れた位置に設けてもよい。しかも、スライダ１９には傾斜面１９ａを設けずに、カバー５２のリブ５４に傾斜面を設けてもよい。
【００５２】
さらに、前記係止部１６およびスライダ１９は、それぞれ２個ずつ設けたが、３以上設けてもよい。
【００５３】
さらにまた、前記実施形態では、検出手段は、安全スイッチ機構を用いた機械式の構成としたが、マイクロスイッチなどの電気式のものでもよい。
【００５４】
【発明の効果】
以上の説明から明らかなように、本発明のジューサーでは、少なくとも一方を略水平方向に移動可能として受部と着脱可能に係止する２以上の係止部と、係止部と受部との係止が解除されるとカバーを持ち上げるスライダとを設けているため、組立時にはカバーを上方から垂直に被せ、下向きに押圧するだけで簡単に装着することができる。また、分解する際には、係止部を移動させるだけで簡単に係止部と受部との係止を解除でき、これによりスライダによってカバーを持ち上げて再び係止部が受部に係止することを防止できる。そのため、組付作業性や分解作業性を大幅に向上することができる。
【図面の簡単な説明】
【図１】本発明の実施形態に係るジューサーを示す斜視図である。
【図２】ジューサーの要部断面図である。
【図３】（Ａ）は本体の斜視図、（Ｂ）は（Ａ）の要部拡大図である。
【図４】（Ａ），（Ｂ）は本体の係止部とカバーの受部とを示す断面図である。
【図５】（Ａ），（Ｂ）は本体のスライダとカバーとを示す断面図である。
【図６】本体に装着する各構成部品を示す分解斜視図である。
【図７】区画容器を構成する区画容器本体と仕切壁とを分離した状態を示す断面図である。
【図８】蓋体を構成する内蓋とカバーとを分離した状態を示す断面図である。
【図９】内蓋とカバーとを装着した状態を示す平面図である。
【図１０】検出手段と安全スイッチ機構との関係を示す概略図である。
【図１１】安全スイッチ機構を示し、（Ａ）は背面図、（Ｂ）側面図、（Ｃ）は動作状態を示す側面図である。
【符号の説明】
１０…本体                  １１…モータ（駆動手段）
１１ａ…出力軸              １４…フック部材
１６…係止部                １９…スライダ
１９ａ…傾斜面              ２１…動作部
２３…持上動作部            ２４…区画容器
２５…ジュース案内部        ２６…カス受部
２７…区画容器本体          ３５…仕切壁
４２…調製部材              ４７…蓋体
４８…内蓋                  ５２…カバー
５３…受部                  ５４…リブ
５９…ジュース容器
【図１】
2004337514.tif 000003
【図２】
2004337514.tif 000004
【図３】
2004337514.tif 000005
【図４】
2004337514.tif 000006
【図５】
2004337514.tif 000007
【図６】
2004337514.tif 000008
【図７】
2004337514.tif 000009
【図８】
2004337514.tif 000010
【図９】
2004337514.tif 000011
【図１０】
2004337514.tif 000012
【図１１】
2004337514.tif 000013